(57)【要約】【課題】従来の地図情報を表示するシステムでは、顧客住所等のユーザの私的統計データを地図上に表示するには、データをサービス側に渡して登録する必要があり、ハッキング等によりデータが漏洩する危険を考慮すると外部に渡すのはユーザにとって抵抗が大きいという問題点があり、ユーザ側のデータのセキュリティを確保すると共に、ユーザが希望する地図情報を迅速に表示させることができる地図情報システムを提供する。【解決手段】サーバ１が、クライアント２から送信された住所を、地図上に表示可能な位置データに変換してクライアント２に返信する第１の処理と、クライアント２において記憶され、クライアント２から送信された位置データを受信して、地域と統計データが特定されると、特定された地域の地図上に特定された統計データと位置データとを重ねて表示する地図情報を作成してクライアント２に出力する第２の処理とを行う地図情報システム。【選択図】        図１
2005017465.tif 000002
【特許請求の範囲】
【請求項１】
ネットワークを介して接続されたクライアントから送信されたデータに基づいて地図情報を作成して前記クライアントに前記地図情報を出力するサーバを備えた地図情報システムであって、
前記サーバが、地図データを記憶する地図データベースと、統計データを記憶する統計データベースとを備え、クライアントから送信された住所を地図上に表示可能な位置データに変換して前記クライアントに返信する第１の処理と、任意のクライアントから送信された位置データと、前記クライアントによって選択された地図データ及び統計データとを合成して、前記選択された地図上に前記統計データと前記位置データとを重ねて表示する地図情報を作成し、前記クライアントに前記作成された地図情報を出力する第２の処理とを行うサーバであることを特徴とする地図情報システム。
【請求項２】
位置データが、行政コードと緯度・経度データのいずれか又は両方を備えていることを特徴とする請求項１記載の地図情報システム。
【請求項３】
地図データベースが、メッシュ地図データと、町丁目地図データと、郵便番号地図データのいずれか又は全てを含んでいる地図データベースであることを特徴とする請求項１又は請求項２記載の地図情報システム。
【請求項４】
統計データベースが、国勢調査のデータと、商業統計のデータとを備えている統計データベースであることを特徴とする請求項１乃至請求項３記載の地図情報システム。
【請求項５】
地図データベースが、行政界の変更履歴を記憶しており、統計データベースが、国勢調査のデータを調査年度毎に記憶していることを特徴とする請求項４記載の地図情報システム。
【請求項６】
第１の処理における住所が、クライアントが顧客の識別番号に対応して記憶している住所であり、
前記住所に基づいて変換された位置データが、前記識別番号に対応して前記クライアントで記憶される位置データであることを特徴とする請求項１又は請求項５記載の地図情報システム。
【請求項７】
第２の処理における位置データが、クライアントにおいて記憶されている顧客情報に基づいて選択された顧客の識別番号に対応する位置データであることを特徴とする請求項６記載の地図情報システム。
【請求項８】
サーバが、クライアントから定期的に送信される位置データ変換要求を受信すると、前記位置データ変換要求に含まれる住所について第１の処理を行うサーバであることを特徴とする請求項１乃至請求項７記載の地図情報システム。
【請求項９】
サーバが、クライアントから随時送信される地図情報表示要求を受信すると第２の処理を行うサーバであることを特徴とする請求項１乃至請求項８記載の地図情報システム。
【請求項１０】
サーバが、第２の処理において、選択された顧客の識別番号に対応する位置データと共に、前記識別番号に対応してクライアントで記憶されている顧客の購入情報を含む属性データと、前記属性データを絞り込む条件を受信し、前記条件に従って前記識別番号毎に前記属性データに含まれる購入情報を集計して、前記条件を満たす識別番号を抽出し、前記抽出された識別番号に対応する位置データを用いて、地図情報を作成するサーバであることを特徴とする請求項７乃至請求項９記載の地図情報システム。
【請求項１１】
サーバが、第２の処理において、条件に従って識別番号毎に属性データに含まれる購入情報を集計して、前記条件を満たす識別番号を抽出し、前記抽出された識別番号に対応する位置データと統計データベースにおける統計データとを用いて、地図情報を作成するサーバであることを特徴とする請求項１０記載の地図情報システム。
【請求項１２】
サーバが、第２の処理において、顧客の識別番号に対応してクライアントで記憶されている顧客の購入情報を含む属性データを絞り込む条件に従って選択された顧客の識別番号に対応する位置データを受信し、当該位置データを用いて、地図情報を作成するサーバであることを特徴とする請求項７乃至請求項９記載の地図情報システム。
【請求項１３】
サーバが、地図情報を作成すると、クライアントにセッション番号を付して前記地図情報を出力すると共に、前記地図情報とセッション番号とを対応付けて記憶しておき、任意のクライアントからセッション番号を付した地図情報表示要求を受信した場合に、前記セッション番号の付与から一定時間以内であれば前記セッション番号に対応する地図情報を前記クライアントに出力するサーバであることを特徴とする請求項９乃至請求項１２記載の地図情報システム。
【請求項１４】
サーバが、セッション番号の付与から一定時間が経過した場合に、前記セッション番号に対応して記憶されている地図情報を消去することを特徴とする請求項１３記載の地図情報システム。
【請求項１５】
ネットワークを介して接続されるクライアントを備え、当該クライアントは、顧客の識別番号と位置データとを対応付けて記憶する第１の記憶部と、顧客の識別番号と顧客の購入情報を含む属性データとを対応付けて記憶する第２の記憶部と備え、顧客の購入情報を含む属性データを絞り込む条件に従って前記第２の記憶部から該当する顧客の識別番号に対応する位置データを選択し、当該位置データをサーバに送信するクライアントであることを特徴とする請求項１乃至１４記載の地図情報システム。
【請求項１６】
ネットワークを介して接続されるクライアントを備え、当該クライアントに複数の端末が接続する場合、当該クライアントが、地図情報表示要求を行った端末の情報と対応付けて記憶し、サーバから出力された地図情報を前記対応する端末に出力するクライアントであることを特徴とする請求項１乃至１５記載の地図情報システム。
【請求項１７】
クライアントが、サーバから出力された地図情報とセッション番号を受信すると、当該地図情報に対する地図情報表示要求を行った端末の情報と対応付けて記憶すると共に、当該地図情報を前記端末に出力し、前記端末から前記地図情報に対する地図情報表示要求を受けると、当該地図情報表示要求に対応付けて記憶されるセッション番号を付して前記サーバに送信するクライアントであることを特徴とする請求項１６記載の地図情報システム。
【請求項１８】
クライアントが、特定の地図情報表示要求、地図の名称及びアクセス可能な端末を対応付けて記憶する対応テーブルを備え、端末から地図の名称の指定があると、前記対応テーブルを参照して当該端末が前記地図の名称に対応する地図情報にアクセス可能であるか否かを判断し、アクセス可能であれば対応する地図情報表示要求を前記対応テーブルから読み出してサーバに送信し、前記サーバから出力された当該地図情報表示要求に対応した地図情報を指定のあった端末に表示出力するクライアントであることを特徴とする請求項１６又は１７記載の地図情報システム。
【請求項１９】
クライアントが、地図の名称で特定される地図情報表示要求をサーバに定期的に送信し、前記サーバから出力された当該地図情報表示要求に対応した地図情報とセッション番号を受信すると、前記セッション番号と地図の名称とを対応付けて記憶する記憶部を備え、
端末から地図の名称の指定があると、前記記憶部に前記地図の名称に対応付けて前記端末の識別子を記憶させ、前記地図の名称に対応するセッション番号を前記サーバに送信し、前記サーバから受信した地図情報を前記セッション番号に対応する端末に表示出力するクライアントであることを特徴とする請求項１７記載の地図情報システム。
【発明の詳細な説明】
【０００１】
【発明の属する技術分野】
本発明は、地図情報システムに係り、特にユーザ側の顧客データのセキュリティを確保し、ユーザが希望する主題の地図情報を迅速に表示させることができる地図情報システムに関する。
【０００２】
【従来の技術】
従来、商圏関係の地図情報を表示させるには、地図データ、公的統計データ等を備え、それらのデータを用いて地図を表示するソフトウェアをパッケージで利用するようになっていた。
この場合、ユーザが独自に取得した商業のデータをその地図情報に表示させることも可能となる。
【０００３】
また、クライアントサーバシステムの運用方法としては、クライアントコンピュータがサーバコンピュータに両コンピュータの利用情報の対応関係を登録し、クライアントアプリケーションからサーバアプリケーションに処理の依頼があると、上記対応関係を取得し、その対応関係に基づいて依頼された処理を実行するアプリケーションを起動するものがあった（特許文献１参照）。
【０００４】
更に、地図上に情報を表示するものとしては、地図データと、公的な統計データとを備え、サーバが、ネットワークを介して接続されたユーザからの要求に応じて、目的にあった公的統計データを所望の地図に重ねて作成し、ユーザ端末に主題図を表示するシステムやサービスがある（特許文献２参照）。尚、このシステムにおいては、公的統計データの他に、ユーザが独自に取得した顧客住所データ等の私的統計データをサーバに登録しておき、地図上に公的統計データと共に私的統計データを重ねて主題図を作成することも可能となっている。
【０００５】
【特許文献１】
特開平７−２９５９１０号公報
【特許文献２】
特開２００１−２２９１８６号公報（第３−５頁）
【０００６】
【発明が解決しようとする課題】
しかしながら、上記従来のパッケージを利用した地図情報表示のソフトウェアでは、ユーザ側でソフトウェアのインストール等を行わなければならないため、システム構築が面倒であり、またパッケージソフトが高額であってコストがかかるという問題点があった。
【０００７】
また、上記特許文献１の例は、クライアントとサーバとの間で、事前に対応関係を登録し、その対応関係に基づいて依頼された特定処理を実行するだけのものであって、クライアントとサーバとの間で、予めユーザのデータの変換処理を行い、変換されたデータを用いて地図情報を表示するものとはなっていなかった。
【０００８】
更に、上記特許文献２の例では、ユーザが独自に取得した私的統計データを公的統計データと共に地図上に表示する際には、例えば顧客の住所等の大事なデータをサービス側のサーバに渡して登録しておかなければならない。私的統計データは、個人情報を含むことが多いため、ハッキング等によってデータが漏洩する危険を考慮するとむやみに外部に出すことはユーザにとって抵抗が大きいという問題点があった。
【０００９】
本発明は上記実情に鑑みて為されたもので、ユーザ側のデータのセキュリティを確保すると共に、ユーザの顧客データに基づいて、ユーザが希望する地図情報を迅速に表示させることができる地図情報システムを提供することを目的とする。
【００１０】
【課題を解決するための手段】
上記従来例の問題点を解決するための本発明は、ネットワークを介して接続されたクライアントから送信されたデータに基づいて地図情報を作成してクライアントに地図情報を出力するサーバを備えた地図情報システムであって、サーバが、地図データを記憶する地図データベースと、統計データを記憶する統計データベースとを備え、クライアントから送信された住所を地図上に表示可能な位置データに変換して当該クライアントに返信する第１の処理と、任意のクライアントから送信された位置データと、当該クライアントによって選択された地図データ及び統計データとを合成して、選択された地図上に統計データと位置データとを重ねて表示する地図情報を作成し、クライアントに作成された地図情報を出力する第２の処理とを行うサーバであることを特徴とする地図情報システムとしており、第１の処理によって変換された位置データをクライアントが記憶しておき、地図情報を表示したい場合にクライアントが位置データを読み出してサーバに送信すれば、第２の処理によって選択した地域の地図上に、統計データと送信した位置データとが重なった地図情報が作成されてクライアントにおいて表示することができ、サーバが各クライアント毎に膨大な量の位置データを記憶する必要がなくなり、システム構築及び地図情報作成の処理を簡易にすることができると共に、クライアントが管理する住所のデータをサーバに記憶しなくて済むためクライアント側のデータの安全性を向上させることができる。
【００１１】
また、本発明は、上記地図情報システムにおいて、位置データが、行政コードと緯度・経度データのいずれか又は両方を備えているものであり、位置データを地図上に直ちに反映させることができ、地図情報を迅速に表示させることができる。
【００１２】
また、本発明は、上記地図情報システムにおいて、地図データベースが、メッシュ地図データと、町丁目地図データと、郵便番号地図データのいずれか又は全てを含んでいる地図データベースである地図情報システムとしており、所望の地域の地図の中から、利用者の用途、目的、好みに合わせて地図の形態を選択することができ、利用者のニーズに細かく対応した地図情報を作成することができる。
【００１３】
また、本発明は、上記地図情報システムにおいて、統計データベースが、国勢調査のデータと、商業統計のデータとを備えたり、地図データベースが、行政界の変更履歴を記憶しており、統計データベースが、国勢調査のデータを調査年度毎に記憶している地図情報システムとしており、利用者のニーズに応じて統計データを選択可能とし、昔の統計データや行政界を用いた地図情報を作成することができ、過去から現在に至るまでの変遷を表した地図情報等の多様な地図情報を作成することができる。
【００１４】
また、本発明は、上記地図情報システムにおいて、第１の処理における住所が、クライアントが顧客の識別番号に対応して記憶している住所であり、住所に基づいて変換された位置データが、識別番号に対応してクライアントで記憶される位置データである地図情報システムとしており、第１の処理において、顧客の個人情報である住所のデータや、住所を容易に特定できる位置データをサーバに渡さずに済み、顧客の個人情報の安全性を向上させることができ、また、顧客の住所を反映させた地図情報を表示させて、セールス情報の分析や販売促進戦略等に活用することができる。
【００１５】
また、本発明は、上記地図情報システムにおいて、第２の処理における位置データが、クライアントにおいて記憶されている顧客情報に基づいて選択された顧客の識別番号に対応する位置データである地図情報システムとしており、クライアント側で目的に応じて抽出された顧客の位置を、所望の地域の地図上で統計データと重ね合わせて表す地図情報を表示させることができ、利用者の所望の主題に合わせた地図情報を作成することができる。
【００１６】
また、本発明は、上記地図情報システムにおいて、サーバが、クライアントから定期的に送信される位置データ変換要求を受信すると、前記位置データ変換要求に含まれる住所について第１の処理を行うサーバである地図情報システムとしており、位置データ変換要求に新しく登録された顧客の住所が含まれるようにすれば、利用者が特に操作を行わなくても、サーバが定期的に第１の処理を行って、新しく登録された顧客に対応する位置データをクライアントに記憶させておくことができ、地図情報の作成に利用することができる。
【００１７】
また、本発明は、上記地図情報システムにおいて、サーバが、クライアントから随時送信される地図情報表示要求を受信すると第２の処理を行うサーバである地図情報システムとしており、サーバが、利用者の要求に応じて随時所望の地図情報を作成してタイムリーに表示させることができる。
【００１８】
また、本発明は、上記地図情報システムにおいて、サーバが、第２の処理において、選択された顧客の識別番号に対応する位置データと共に、当該識別番号に対応してクライアントで記憶されている顧客の購入情報を含む属性データと、属性データを絞り込む条件を受信し、条件に従って識別番号毎に属性データに含まれる購入情報を集計して、条件を満たす識別番号を抽出し、抽出された識別番号に対応する位置データ又は／及び統計データを用いて、地図情報を作成するサーバである地図情報システムとしており、クライアントで複雑な集計処理を行わなくても、処理能力の高いサーバで属性データを集計して所望の条件に合う顧客を抽出することができ、目的に応じてターゲットとなる顧客を絞り込んだ地図情報を迅速に表示することができる。
【００１９】
また、本発明は、上記地図情報システムにおいて、サーバが、地図情報を作成すると、クライアントにセッション番号を付して地図情報を出力すると共に、地図情報とセッション番号とを対応付けて記憶しておき、任意のクライアントからセッション番号を付した地図情報表示要求を受信した場合に、当該セッション番号の付与から一定時間以内であればセッション番号に対応する地図情報をクライアントに出力するサーバである地図情報システムとしており、クライアント側の利用者は、一定時間内であれば同一の地図情報を表示させるための指示を何度も入力することなく、一旦作成された地図情報を何度でも迅速に表示させることができ、また、サーバ側にとっては地図情報作成の処理を軽減することができる。
【００２０】
また、本発明は、上記地図情報システムにおいて、サーバが、セッション番号の付与から一定時間が経過した場合に、セッション番号に対応して記憶されている地図情報を消去する地図情報システムとしており、地図情報の保存を一定時間のみとして、記憶装置の記憶エリアを有効に利用することができる。
【００２１】
本発明は、上記地図情報システムにおいて、ネットワークを介して接続されるクライアントを備え、当該クライアントは、顧客の識別番号と位置データとを対応付けて記憶する第１の記憶部と、顧客の識別番号と顧客の購入情報を含む属性データとを対応付けて記憶する第２の記憶部と備え、顧客の購入情報を含む属性データを絞り込む条件に従って第２の記憶部から該当する顧客の識別番号に対応する位置データを選択し、当該位置データをサーバに送信するものであり、顧客の購入情報の属性データを充分に分析した上で、地図情報の表示を行わせることができる。
【００２２】
本発明は、上記地図情報表示システムにおいて、クライアントに複数の端末が接続する場合、クライアントが、地図情報表示要求を行った端末の情報と対応付けて記憶し、更にサーバから出力された地図情報とセッション番号を受信すると、当該地図情報に対する地図情報表示要求を行った端末の情報と対応付けて記憶すると共に、当該地図情報を当該端末に出力し、当該端末から地図情報に対する地図情報表示要求を受けると、当該地図情報表示要求に対応付けて記憶されるセッション番号を付してサーバに送信するものであり、クライアントに複数の端末が接続されていても、サーバから出力された地図情報を対応する端末に誤りなく表示させることができる。
【００２３】
本発明は、上記地図情報システムにおいて、クライアントが、特定の地図情報表示要求、地図の名称及びアクセス可能な端末を対応付けて記憶する対応テーブルを備え、端末から地図の名称の指定があると、対応テーブルを参照して当該端末が地図の名称に対応する地図情報にアクセス可能であるか否かを判断し、アクセス可能であれば対応する地図情報表示要求を対応テーブルから読み出してサーバに送信し、サーバから出力された当該地図情報表示要求に対応した地図情報を指定のあった端末に表示出力するものであり、アクセス可能な端末が地図の名称で地図情報の表示を容易に行うことができる。
【００２４】
本発明は、上記地図情報システムにおいて、クライアントが、地図の名称で特定される地図情報表示要求をサーバに定期的に送信し、サーバから出力された当該地図情報表示要求に対応した地図情報とセッション番号を受信すると、セッション番号と地図の名称とを対応付けて記憶する記憶部を備え、端末から地図の名称の指定があると、記憶部に地図の名称に対応付けて端末の識別子を記憶させ、地図の名称に対応するセッション番号をサーバに送信し、サーバから受信した地図情報をセッション番号に対応する端末に表示出力するものであり、端末が地図の名称で地図情報の表示を容易に行うことができる。
【００２５】
【発明の実施の形態】
本発明の実施の形態について図面を参照しながら説明する。
本発明の地図情報システムは、クライアントから送信された住所を、サーバが地図上に表示可能な位置データに変換して一旦クライアントに返信し、クライアントにおいて当該位置データを記憶しておき、クライアントからサーバに位置データが送信され、更に地域と統計データが特定されると、サーバが特定された地域の地図上に特定された統計データと、位置データとを重ねて表示する地図情報を作成してクライアントに閲覧させるようにしており、サーバで位置データを記憶しておかなくて済むためサーバのシステム構築及び処理が簡略化でき、また、クライアント側では、例えば個人情報を含むような大事な情報をサーバ側に渡さずに済み、データの安全性を向上させることができるものである。
【００２６】
また、本発明の地図情報システムは、サーバが、作成した地図情報にセッション番号を付して記憶しておき、クライアントに地図情報とそれに対応するセッション番号を出力し、クライアントからセッション番号が指定された場合に、一定時間内であれば、対応する地図情報を読み出して当該クライアントに出力するようにしており、クライアントは、一定時間内であれば、何度でも当該セッション番号に対応した地図情報を表示でき、サーバは、同じ地図情報を極めて迅速に表示出力することができるものである。
【００２７】
本発明の実施の形態に係る地図情報システムについて説明する。
本発明の実施の形態に係る地図情報システム（本システム）は、ユーザがクライアントで管理している顧客データの中から、顧客ＩＤと住所とがサーバに送信されると、サーバが受信した住所を行政コード及び緯度・経度に変換して顧客ＩＤと対応付けてクライアントに返信し、クライアントが顧客ＩＤと行政コード及び緯度・経度を記憶しておき、更に、地図情報を表示させたい場合に、ユーザが目的に沿った顧客を選択して、その顧客の行政コード及び緯度・経度をサーバに送信し、地域及び統計データを指定すると、サーバが、指定された地域の地図上に、指定された統計情報と顧客の住所を示す点を重ねて表示する地図情報を作成し、当該地図情報をクライアントで表示するものであり、ユーザは、顧客の個人情報をサーバ側に渡さずにデータの安全性を確保しつつ、所望の分析を行うための地図情報を得ることができ、また、サーバは、ユーザの顧客データを管理する必要が無くなるので、システムを簡略化し処理を容易にすることができるものである。
【００２８】
まず、本発明の実施の形態に係る地図情報システムの概略システム構成について図１を用いて説明する。図１は、本発明の実施の形態に係る地図情報システム（本システム）の概略システム構成図である。
図１に示すように、本システムは、サーバ１と、インターネットを介してサーバ１に接続されたクライアント２とから構成される。尚、図１では説明を簡単にするためにサーバ１に接続するクライアント２を１台としているが、本来は複数台のクライアント２がサーバ１に接続するものである。
【００２９】
クライアント２は、ユーザシステムのイントラサーバとして機能するものであり、処理部２０と、顧客管理データベース（顧客管理ＤＢ）２２とを備え、更にイントラネットのクライアントとしての複数のユーザ端末２３が接続されている。処理部２０には、サーバ１と通信を行って地図情報の作成に必要なデータの送受信を行うと共に、作成された地図情報を表示する地図情報表示プログラム２１が設けられている。
【００３０】
また、サーバ１は、処理部１０と、地図データベース（地図ＤＢ）１５と、統計データベース（統計ＤＢ）１６とを備え、更に処理部１０には、ジオコーダ１１と、地図情報作成手段１２と、地図色塗り手段１３と、データ集計手段１４とを備えている。
【００３１】
尚、クライアント２は、予めサーバ１にユーザ登録しており、図示は省略するが、サーバ１では、ユーザ情報として、ユーザ登録しているクライアント２毎にユーザＩＤやデータ送受信に必要な各種データを記憶している。また、サーバ１は、送信された暗号データを解読する共通の又は各クライアント２に対応した暗号キーを記憶しているものである。ここで、暗号化方法はいかなる方法であっても構わない。
【００３２】
各構成部分について具体的に説明する。
サーバ１の処理部１０は、ユーザ情報の登録や地図情報作成、地図ＤＢ１５及び統計ＤＢ１６に対する入出力制御、クライアント２との通信制御等の処理を行うものであり、複数の機能手段を備えている。
【００３３】
サーバ１のジオコーダ１１は、クライアント２から送信された住所（住所データ）を行政コード（例えば１１桁コード）と、緯度・経度データに変換するものである。
具体的には、ジオコーダ１１は、住所データと行政コードとを対応付ける変換テーブル及び住所データと緯度・経度データとを対応付ける変換テーブルを備えており、クライアント２から送信された住所データを、変換テーブルを参照して行政コード及び緯度・経度データに変換するようになっている。
【００３４】
地図情報作成手段１２は、クライアント２からの指示に従って、指定された地域の地図データや統計データを読み出して、合成するものであり、更に、クライアントから送信された行政コード又は緯度・経度データを、統計データが合成された地図上に更に合成して、地図情報を作成するものである。
【００３５】
地図色塗り手段１３は、地図情報に、予め用意され、設定された色を塗るものである。例えば、地図の上に表示された統計データの区分毎に見易いように色分け表示を行うものである。
【００３６】
データ集計手段１４は、クライアントからの指示（抽出条件としての属性条件を含む）に応じて、クライアントから送信された位置データ（行政コード、緯度・経度データ）に付された属性データを集計し、更に、集計結果を抽出条件によって顧客を抽出するものである。尚、データ集計手段１４の具体的な動作については後で説明する。
【００３７】
地図ＤＢ１５は、様々な地域の地図データを備えたデータベースである。
ここで、地図ＤＢ１５について図２を用いて説明する。図２は、サーバ１に設けられた地図ＤＢ１５の模式説明図である。
図２に示すように、地図ＤＢ１５は、日本各地のメッシュ地図１５ａ、町丁目地図１５ｂ、郵便番号地図１５ｃ等の形態の地図を予め記憶している。メッシュ地図１５ａは、地域を縦横のメッシュで区分した地図であり、町丁目地図１５ｂは、地域を行政界で区分した地図であり、また、郵便番号地図１５ｃは、地域を郵便番号毎に区分した地図である。
各地図データは、クライアント２から指定された地域に応じて様々な縮尺で表示可能となっている。
【００３８】
統計ＤＢ１６は、国勢調査等の公的な統計データを備えたデータベースである。
ここで、統計ＤＢ１６について図３を用いて説明する。図３は、サーバ１に設けられた統計ＤＢ１６の模式説明図である。
図３に示すように、統計ＤＢ１６は、国勢調査のデータと商業統計のデータとを記憶している。
【００３９】
国勢調査のデータは、地域毎の総人口、男女別、年齢別人口、世帯数といったデータを、調査の年度別に記憶しているものである。図３の例では、国勢調査○○年度版１６ａ、国勢調査××年度版１６ｂ、国勢調査△△年度版１６ｃが記憶されている。
また、商業統計１６ｄのデータは、業種別、販売形態別（小売か卸か）、地域別に、商店数、従業員数、年間販売額、売場面積等の項目について調査した結果をまとめたものであり、商業活動の状況を表すものである。
また、国勢調査のデータ、商業統計のデータの他に、事業所統計、工業統計、消費支出統計等のデータを統計ＤＢ１６に記憶し、それらデータを利用して地図を表示するようにしてもよい。
【００４０】
クライアント２の地図情報表示プログラム２１は、サーバ１との通信を行ってサーバ１で作成された地図情報を表示するための顧客データ読み出し及び格納や、表示制御を行うプログラムである。
【００４１】
具体的には、地図情報表示プログラム２１は、大きく２つの機能実現手段から構成されており、第１の処理は、顧客の住所データをサーバ１に送信して、行政コード及び緯度・経度データに変換させて、サーバ１から取得した変換結果のデータを顧客管理ＤＢ２２の対応する部分に記憶する処理を行うプログラムである。行政コード及び緯度・経度データのことを、位置データと呼ぶ。
【００４２】
第２の処理は、任意の主題の地図情報をサーバ１に作成させて、作成された地図情報を閲覧表示する処理を行うプログラムである。このとき、本発明の特徴として、利用者が、主題に応じて地図情報に表示させたい顧客を選択し、選択された顧客に対応して記憶されている、変換された行政コード及び緯度・経度のデータをサーバ１に送信するようになっている。これにより、一旦、顧客の住所を位置データに変換しておけば、地図情報を表示する際にクライアント２から顧客の住所をサーバ１に送信する必要がなく、更に、サーバ１側に顧客の個人情報を渡すこともないので、データのセキュリティを向上させることができるものである。
尚、本実施の形態では地図情報表示プログラム２１に２つの機能実現手段を有するようにしているが、別々のプログラムで実現するようにしてもよい。
【００４３】
顧客管理ＤＢ２２は、ユーザが独自に取得した顧客のデータを記憶しているものであり、特に、本発明のシステムの特徴として、各顧客毎に、サーバ１において住所に基づいて変換した位置データとして、行政コード及び緯度・経度のデータを記憶しているものである。
【００４４】
顧客管理ＤＢ２２について図４を用いて説明する。図４は、顧客管理ＤＢ２２の模式説明図である。
図４に示すように、顧客管理ＤＢ２２は、ユーザが顧客のポイントカードやメンバーズカード等で取得した顧客の情報を蓄積しているものであり、顧客ＩＤと、住所（住所データ）と、顧客に関連した属性データとを記憶しており、更に、本発明のシステムの特徴として、各顧客毎に、住所に対応した行政コード（１１桁コード）と、緯度・経度のデータを記憶しているものである。
【００４５】
行政コード及び緯度・経度のデータは、クライアント２がサーバ１に送信した顧客の住所を基に、サーバ１のジオコーダ１１が変換して、返信されたものである。本システムの特徴として、顧客の住所に即結びつく行政コードや緯度・経度のデータはサービスを提供するサーバ１ではなく、ユーザが管理するクライアント２に蓄積しておき、必要に応じて行政コード及び緯度・経度のデータをサーバ１に送信して地図情報を作成させ、クライアント２において表示するようにしている。これにより、顧客の個人情報をサーバに渡すことなく、顧客の位置を反映させた地図情報を表示させて、所望の分析を行うことができ、更に地図作成に直接役立つ行政コード及び緯度・経度データを用いるため、地図の作成が速くなり、結果として地図表示の時間を短縮できるものである。
【００４６】
また、属性データとしては、顧客の家族構成や所得、購入年月日、購入品名、購入金額等の情報が含まれる。
尚、図４では省略されているが、顧客管理データには、顧客ＩＤに対応して、顧客の氏名や性別、年齢、既婚／未婚の区別、電話番号等のデータも含まれているものである。ここで、属性データとしての顧客の家族構成や所得等の個人情報は、顧客がメンバーズカード等に加入した際に登録事項として取得できるものであり、購入に関するデータは、ＰＯＳデータから取得して顧客管理ＤＢ２２に記憶するものである。
【００４７】
クライアント２に接続されたユーザ端末２３は、実際に業務を行う担当者（利用者）の操作に基づいて、地図情報作成の要求をイントラサーバ（クライアント２）に出力し、イントラサーバを介してサーバ１から提供された所望の主題の地図情報を表示するものである。尚、ユーザ端末２３としては、利用者が指示を入力する操作部と、地図情報を表示する表示部とを備えているが、操作部と表示部とが別々の装置として構成されていても構わず、ＰＤＰ（ｐｌａｓｍａ  ｄｉｓｐｌａｙ  ｐａｎｅｌ；プラズマディスプレイパネル）等の大型の表示部に地図情報を表示するようにしてもよい。
【００４８】
このように、クライアント２に複数のユーザ端末２３が接続する場合、クライアント２は、地図情報作成の要求とその要求を行った端末の情報と対応付けて記憶し、サーバ１から出力された地図情報を対応するユーザ端末２３に出力するようになっている。
【００４９】
次に、本システムの動作について図１〜図４を用いて説明する。
本システムでは、ユーザが取得した顧客データは、図４に示すようにクライアント２の顧客管理ＤＢ２２に蓄積されている。そして、本システムにおけるサービスの処理は、大きく２つのステップから成り、サーバ１が、クライアント２から送信された顧客の住所データを、地図上に表すことができる行政コードや緯度・経度の座標データ（緯度・経度データ）に変換して、再びクライアント２に送り返し、クライアント２において記憶する第１のステップと、第１のステップで変換された行政コードや座標データをクライアント２から送信して、サーバ１が地図情報を作成し、クライアント２に表示する第２のステップである。このように、第１のステップと第２のステップに分かれて処理を行う点が本発明の特徴部分となっている。
【００５０】
まず、第１のステップについて説明する。
クライアント２は、顧客管理ＤＢ２２に蓄積された任意の顧客について、顧客ＩＤと住所データをサーバ１に送信して、当該住所データを行政コード及び緯度・経度に変換するよう要求する。
【００５１】
サーバ１では、クライアント２から受信した住所をジオコーダ１１が行政コード及び緯度・経度データに変換し、変換した行政コード及び緯度・経度データをクライアント２に返送する。そして、クライアント２が、行政コード及び緯度・経度データを位置データとして顧客管理ＤＢ２２の当該顧客ＩＤに対応して記憶する。
【００５２】
すなわち、これにより、本システムでは、顧客毎の行政コード及び緯度・経度データがクライアント２側に記憶されることになり、大事な個人情報をサーバ１に渡さなくて済むため、データの安全性を向上させることができるものである。
更に、サーバ１では、多くのクライアント２について顧客毎の大量の位置データ（行政コード及び緯度・経度データ）を記憶する必要がなくなり、システムの構築を容易にし、処理の負荷を軽減することができるものである。
【００５３】
更にまた、第１のステップを地図情報を表示させる処理（第２のステップ）とは独立して行うことができるものである。つまり、第１のステップを朝一番等の定期的に行い、第２のステップはユーザ端末２３からの要求に応じて随時行うことが可能となる。
クライアント２における顧客データの更新処理が１回／日程度であれば、第１のステップを一日の特定日時に定期的に行うのが効果的であり、顧客データの更新処理が一日に頻繁に行われるのであれば、第１のステップを地図情報表示要求の度に随時行うのが効果的である。
【００５４】
次に、第２のステップについて説明する。
利用者が、ある主題に沿った地図情報を作成させたい場合には、まず、ユーザ端末２３からイントラネットを介してイントラサーバ（クライアント２）にアクセスし、顧客管理ＤＢ２２を検索して、地図上に位置を表示させたい顧客を選択する。更に、表示させたい地図及び統計データを選択して、地図情報表示要求をイントラサーバ（クライアント２）に出力する。
【００５５】
クライアント２は、ユーザ端末２３からの要求に応じて、顧客管理ＤＢ２２から当該顧客の行政コード及び緯度・経度データを読み取ってサーバ１に送信し、更に地図で表示させる地域及び統計データを送信する。
【００５６】
そして、サーバ１の地図情報作成手段１２が、クライアント２からの要求に従って、指定された地域の地図上に統計データを重ね、更に選択された顧客の位置を地図上に重ねて示した地図情報を作成する。
【００５７】
そして、サーバ１は、作成した地図情報をクライアント２に提供し、クライアント２は、当該地図情報をユーザ端末２３に出力して表示部（図示せず）に表示するようになっている。
これにより、一旦顧客の住所データを行政コード及び緯度・経度データに変換しておけば、その後は住所データを送信しなくても地図上に当該顧客の位置を表示させることができ、地図情報の作成を要求する度に顧客の個人情報が何度もネット上を行き交うことがなくなり、個人情報の漏洩を防ぐことができるものである。
【００５８】
次に、本システムにおける住所データを行政コード及び緯度・経度データに変換する第１のステップの手順について図５を用いて説明する。図５は、第１のステップにおける手順を示した説明図である。
図５に示すように、まず、クライアント２が、送信する顧客の住所データを行政コード及び緯度・経度に変換する要求である「位置データ変換要求」をサーバ１に出力する（１００）。この際には、ユーザの真偽を判別するためにユーザ登録の際に登録したユーザＩＤ、暗証番号等を入力する。
【００５９】
尚、位置データ変換要求は、地図情報表示プログラム２１に従って送信されるものであり、例えば毎日朝一番に送信されるようになっている。また、これに加えて、ユーザ端末２３からの指示に従って位置データ変換要求を送信してもよい。
【００６０】
サーバ１では、位置データ変換要求に含まれるユーザＩＤを読み取り、登録されたユーザであれば暗証番号の入力を促し、クライアント２から送信された暗証番号がユーザＩＤに対応して登録されている暗証番号と一致するかどうかを判断することで認証を行い（１０２）、認証した場合に「認証ＯＫ」としてサービス利用を許可する。
【００６１】
そして、クライアント２が、顧客管理ＤＢ２２の中から、例えば新たに登録された顧客等、所望の顧客ＩＤと、それに対応する住所データとを読み出し（１０４）、暗号化してサーバ１に送信する。住所データを送信する際には必ず暗号化しなければならないものではないが、暗号化することによって、万が一、送信時にデータが漏洩したとしてもデータの機密性を保持できるので、暗号化することが望ましい。暗号化する場合、暗号キーは予めサーバ１とクライアント２との間で取り決められているものである。
【００６２】
サーバ１では、クライアント２から送信された住所データを復号し、ジオコーダ１１が、住所データを対応する行政コードに変換し、更に住所データを対応する緯度・経度データに変換して（１０６）、顧客ＩＤに対応付けてクライアント２に返信する。
尚、クライアント２から送信するのは住所データの代わりに郵便番号を用いてもよく、また、ある程度の位置の特定ができる他のデータを代わりに用いてもよい。郵便番号や他のデータを用いる場合には、サーバ１にそれらのデータと行政コード又は緯度・経度データとを対応付けるテーブルを備えておき、クライアントから送信された郵便番号や他のデータをテーブルを参照して行政コードと緯度・経度データに変換するものである。
【００６３】
そして、クライアント２が、サーバ１から受信した行政コードと、緯度・経度データとを顧客管理ＤＢ２２に顧客ＩＤに対応して記憶する。
このようにして、本システムにおける住所データを行政コード及び緯度・経度データに変換する処理（第１のステップ）が行われるものである。
【００６４】
次に、本システムにおいてクライアント２が地図情報を表示する第２のステップにおける手順について図６を用いて説明する。図６は、第２のステップにおける手順を示す説明図である。
図６に示すように、利用者が、ユーザ端末２３から、地図情報表示の要求をイントラサーバ（クライアント２）に出力すると、本システムのクライアント２は、地図情報表示プログラム２１を起動して、サーバ１に対して地図情報の表示を要求する「地図情報表示要求」を送信する（２００）。
【００６５】
サーバ１は、図５に示した場合と同様に、地図情報表示要求に含まれるユーザＩＤと暗証番号とを比較して、クライアント２を認証し（２０２）、認証した場合には「認証ＯＫ」をクライアント２に送信する。
【００６６】
クライアント２は、ユーザ端末２３に「顧客を選択してください」等のメッセージを表示する選択用の画面を出力して、利用者が顧客管理ＤＢ２２から表示させたい顧客を選択するのを促す。このとき、選択された顧客のリストを一覧表示してもよい。
【００６７】
利用者が、ユーザ端末２３から顧客を選択して、「送信」等の特定操作を行うと、選択された顧客ＩＤがクライアント２に出力され、クライアント２が、当該顧客に対応する行政コード及び緯度・経度データを読み取って、サーバ１に送信する（２０４）。本発明のシステムの特徴として、このとき、顧客ＩＤを送信する必要はなく、必要以上に顧客に関する情報が流出するのを防ぐことができるものである。
【００６８】
更に、クライアント２は、ユーザ端末２３に対して、「地域を指定してください」等のメッセージを含む選択画面を出力し、利用者が目的に合わせて表示する地域を選択すると、クライアント２は、特定された地域をサーバ１に送信する（２０６）。また、このときに図２に示した地図データの中から地図の種類を選択することができる。地域の選択は、画面上に都道府県のボタンが表示され、いずれかを選択するとその下の市町村を選択するボタンが表示され、という具合に順次細かい地域になっており、用途に合わせて地域の範囲を指定できるようになっている。
【００６９】
更に、クライアント２は、ユーザ端末２３に「統計データを選択してください」といったメッセージを含む選択画面を出力し、利用者が地図に重ね合わせたい統計データを図３に示した統計ＤＢの中から選択して指定すると、クライアント２が統計データを指定するデータをサーバ１に送信する（２０８）。統計データの選択も、画面上に総人口分布、年齢別人口分布、等のボタンが表示され、更にいずれかのボタンを選択すると、○○年度（版国勢調査）、××年度（版国勢調査）等所望の時期を選択できるようになっている。
【００７０】
尚、顧客、地域、地図、統計データの各項目の選択処理は、地図情報表示要求をサーバ１送信する以前に、クライアント２とユーザ端末２３との間のやり取りで行うようにし、地図情報作成に必要な項目の指定が全てそろってから、クライアント２がサーバ１に地図情報表示要求を送信するようにしてもよい。
【００７１】
サーバ１の処理部１０の地図情報作成手段１２は、特定された地域及び地図のフォーマットに基づいて地図ＤＢ１５から地図を読み出し、また、指定された統計データを統計データＤＢ１６の中から読み出す。そして、地図情報作成手段１２は、統計データを編集して地図上に分布させ、読み出された地図に重ね合わせ、更に処理部１０の地図色塗り手段１３が、地図や統計データに応じて見易く彩色する。
【００７２】
そして更に、地図情報作成手段１２が、クライアント２から送信された顧客の行政コード及び緯度・経度のデータに基づいて、顧客を表す「点」等の印を地図上に重ねて表示し、地図色塗り手段１３が、必要に応じて顧客の「点」を彩色する。このようにして、特定地域の地図に、統計データとユーザによって選択された顧客の位置が表示された地図情報が作成されるものである。
【００７３】
そして、サーバ１で地図情報が作成されると、サーバ１は当該地図情報をクライアント２に出力し、クライアント２の処理部２０が地図情報表示プログラムに従ってユーザ端末２３に地図情報を表示出力する。これにより、本システムでは、特定の目的に沿った顧客及び地域を選択して、統計データと共に地図に重ねて表示させた地図情報を作成でき、利用者のニーズにきめ細かく合わせた地図情報を作成することができるものである。
【００７４】
本システムでは、クライアント２の地図情報表示プログラム２１に、ユーザ端末２３から地図情報の作成を要求したり、編集するために必要な指示を入力する画面のデータを備えており、図６に示したシーケンスの中で適切な画面データを選択してユーザ端末２３に出力するようにしている。
【００７５】
更に、ユーザ端末２３の表示部において地図情報が表示されている画面上に、「広域」「拡大」等のボタンや地図データの「タイプ変更」を指示するボタンを設け、ボタンが押下されるとクライアント２の地図情報表示プログラム２１がサーバ１に、入力されたボタンに対応する指示を送信して、サーバ１の地図情報作成手段１２が指示に応じて地図情報を編集するようにしてもよく、このようにすれば、ユーザの要求に応じて地図情報を随時編集可能とすることができるものである。
【００７６】
次に、本システムにおける地図情報表示の具体的な例について説明する。
例えば、利用者が「３０代独身女性」をターゲットとして折り込み公告やチラシを配布する場合には、利用者は、まず、ユーザ端末２３からイントラサーバ（クライアント２）にアクセスして、「３０代独身女性」の条件を出力すると、クライアント２が顧客管理ＤＢ２２の年齢、性別、既婚／未婚の項目をチェックして、条件に合う顧客を抽出する。
【００７７】
次に、利用者は、ユーザ端末２３から、当該店舗に来るお客の多くが住む範囲を地域指定し、所望の地図のタイプを選択し、更に、人口分布等の統計データを選択してクライアント２に出力する。
そして、クライアント２から、抽出された顧客に対応して記憶されている行政コード及び緯度・経度データと、地域と、統計データの指示をサーバ１に送信すると、サーバ１の地図情報作成手段１２が「選択された地域の人口分布と、３０代独身女性の顧客の分布」が同一画面上で分かる地図情報を作成して、クライアント２に表示可能に出力する。
ここで、クライアント２からサーバ１に送信される位置データ（行政コード、緯度・経度データ）等は顧客ＩＤ（顧客の識別子）に対応付けられたものである。
【００７８】
そして、利用者は、クライアント２を介してユーザ端末２３の表示部に表示された地図情報に基づいて、折り込み広告やチラシを配布するエリアをどこにすれば３０代独身女性の顧客の目に触れる確率が高く、更に潜在的な顧客を開拓する可能性が高いかを把握して、効率のよい宣伝を行うことができるものである。
【００７９】
また、本システムでは、地図情報の作成を行う第２のステップにおいて、クライアント２から顧客の行政コードと緯度・経度データに加えて、顧客の属性データをサーバ１に送信し、サーバ１では属性データに基づいて集計処理を行って、その結果を用いて地図情報を作成することも可能としている。
【００８０】
サーバ１における属性データの集計は、図１に示したデータ集計手段１４によって行われるものであり、具体的には、データ集計手段１４は、クライアント２から送信された様々な項目の属性データの中から、クライアント２から送信された条件に応じて必要なデータを読み出して集計し、更に、集計結果が条件を満たす顧客を抽出して、当該顧客に対応する行政コード及び緯度・経度データを地図情報作成手段１２に出力するものである。
【００８１】
例えば、属性データとして、商品購入日と、購入商品と、購入金額の情報が含まれている場合に、利用者がユーザ端末２３からクライアント２にアクセスして「３０代独身女性」を選択した段階で、クライアント２が、選択された顧客の行政コードと緯度・経度データ及び属性データをサーバ１に送信し、更にクライアント２から、「先月の購入金額が１０万円以上」「服飾費の割合が７０パーセント以上」といった条件をサーバ１に送信すると、サーバ１のデータ集計手段１４が、顧客毎の属性データから年間購入金額を集計し、更に服飾費の割合を算出して、条件を満たす顧客を抽出していく。
【００８２】
そして、データ集計手段１４がクライアント２から送信された顧客全てについて集計して、抽出した顧客の行政コード及び緯度・経度データを地図情報作成手段１２に出力すると、地図情報作成手段１２が、抽出された顧客の行政コードと緯度・経度に基づいて、指定された地域で、指定された統計データが色分け表示された地図上に、「３０代独身女性で、先月の購入金額が１０万円以上で、服飾費の割合が７０パーセント以上を占める顧客」の位置が重ねて表示された地図情報を作成するものである。
【００８３】
また、「４／１〜４／１０の間に１万円以上の買い物をした男性」について地図情報を表示させたい場合には、例えば、ユーザ端末２３で「男性」又は「４／１〜４／１０の間に買い物をした男性」を選択し、クライアント２から、選択された顧客の行政コード及び緯度・経度データ及び属性データをサーバ１に送信し、更に「４／１〜４／１０の間に１万円以上買い物をした」という条件を送信すると、条件を満たす顧客のみが抽出されて、所望の地図情報が作成されるものである。
【００８４】
また、顧客について集計し、抽出された顧客の位置データと統計ＤＢ１６に記憶されている統計データとを用いて地図情報を作成するようにしてもよい。
具体的には、抽出された位置データに基づいて特定地域内の該当顧客数を算出し、当該算出した顧客数を統計データにおける当該特定地域内の人口数のデータで割ると、シェアを算出でき、そのシェアの状態を地図上に色分け表示（例えば、シェア０％以上１０％未満なら緑色、１０％以上２０％未満なら黄色、２０％以上なら赤色に色分け表示）することが考えられる。
【００８５】
ここで、サーバ１で属性データの集計を行う場合の手順について図７を用いて説明する。図７は、サーバ１で属性データの集計を行う場合の処理手順を示す説明図である。
図７に示すように、利用者が地図情報を表示させたい場合には、図６の場合と同様に、ユーザ端末２３からの要求に従ってクライアント２が地図情報表示要求をサーバ１に送信し（３００）、サーバ１で認証されると（３０２）、クライアント２からの指示に応じて、利用者はユーザ端末２３において顧客を選択してクライアント２に出力する（３０４）。
【００８６】
ここで、クライアント２における顧客選択は、顧客管理ＤＢ２２を検索する際に、顧客データや属性データの対象となる項目を単に参照して、入力された条件との単純な比較を行う程度の処理であり、複雑な集計や計算処理は行わない。例えば、上述した例では、クライアント２は、ユーザ端末２３からの指示に従って、顧客管理ＤＢ２２上で「年齢」「性別」「配偶者の有無」の項目をチェックして、「３０代独身女性」を選択する。
【００８７】
そして、クライアント２は、選択された顧客の行政コードと緯度・経度データと、属性データとをサーバ１に送信する。
更に、利用者が、ユーザ端末２３から属性を絞り込むための属性条件を入力してクライアント２に出力すると、クライアント２がサーバ１に属性条件指定として出力し（３０６）、サーバ１のデータ集計手段１４は、処理３０４で送信された全ての顧客の属性データについて集計を行い、属性条件を満たす顧客の位置データを抽出する（３１０）。上述した例では、ここで「先月の購入金額が１０万円以上」及び「服飾費の割合が７０パーセント以上」の条件によって顧客が抽出される。
【００８８】
そして、クライアント２から地域が特定され（３１２）、統計データが指定される（３１４）と、サーバ１の地図情報作成手段１２が、処理３１０で抽出した顧客の位置データと、地域と、統計データとに基づいて地図情報を作成し（３１６）、クライアント２に出力する。そして、クライアント２の処理部２０が、ユーザ端末２３に地図情報を出力して表示させるようになっている。
【００８９】
これにより、ユーザ端末２３の表示部に属性データの集計に基づいた地図情報が表示されるものであり、大量の属性データの集計処理を、クライアント２ではなく処理能力の高いサーバ１において行うことができ、迅速に所望の地図情報を表示させることができるものである。
【００９０】
本発明の実施の形態に係る地図情報システムによれば、第１ステップで、クライアント２から送信された顧客ＩＤと住所データとをサーバ１が行政コード及び緯度・経度データに変換して顧客ＩＤと共にクライアント２に送信し、クライアント２が顧客管理ＤＢ２２に顧客毎の行政コード及び緯度・経度データを記憶しておき、第２ステップで、クライアント２から、表示させたい顧客の行政コード及び緯度・経度をサーバ１に送信し、更に地域と統計データとを指定すると、サーバ１がそれに基づいて、指定された地域の地図に、指定された統計データの分布を色分け表示し、更に、選択された顧客の位置を重ねた地図情報を作成して、クライアント２が地図情報を表示するようにしているので、ユーザは、地図情報の作成を要求する度に顧客の個人情報を何度もインターネット経由でサーバに送信しなくて済み、顧客の個人情報の安全性を向上させることができる効果がある。
【００９１】
また、本システムによれば、顧客の住所データを変換した行政コードと緯度・経度のデータをサーバ１側ではなく、クライアント２側において蓄積するようにしているので、サーバ１のデータベース及び検索処理を簡略化することができ、サーバの負荷を軽減することができる効果がある。
【００９２】
また、本システムによれば、顧客の住所データを、緯度・経度データのみではなく行政コードにも変換しているので、クライアント２からの地図情報表示要求に応じて作成した地図情報の表示地域をもっと絞り込んでクローズアップする場合の顧客の抽出処理を簡便にすることができる効果がである。
【００９３】
更に、本システムによれば、クライアント２で大まかに選択した顧客について、行政コード及び緯度・経度データの位置データに加えて、属性データと、属性条件とを送信すると、サーバ１のデータ集計手段１４が顧客毎の属性データを集計して条件に合う顧客を絞り込んで当該顧客の位置データを地図情報作成手段１２に出力し、地図情報作成手段１２が、特定された地域及び統計データに基づいて、絞り込まれた顧客の位置を統計データと共に同一画面に重ねた地図情報を作成して、クライアント２に出力し、ユーザ端末２３で地図情報を表示するようにしているので、クライアント２において複雑な集計処理を行わなくても、処理能力の高いサーバ１で目的の条件に合う顧客を抽出することができ、利用者のニーズに合わせて的を絞った地図情報を迅速に作成することができる効果がある。
【００９４】
次に、本発明の別の実施の形態に係る地図情報システムについて説明する。
上述した地図情報システムでは、クライアントからの要求でサーバが地図情報を作成してそれをクライアントが表示しても、一旦クライアント−サーバ間のデータのやり取り（セッション）が途絶えた場合には、たとえ同じ条件の地図情報が欲しい場合でも、再度図６又は図７に示した手順に従ってサーバで地図情報を作成し、クライアント側で表示するようになっているが、本発明の別の実施の形態に係る地図情報システム（別の地図情報システム又は別のシステム）は、クライアントがサーバに依頼したタスクについて、作成した地図情報にセッション番号を付して記憶しておき、一定時間内であれば、クライアントは、セッション番号と共に地図情報を要求すれば何度でも当該セッション番号に対応した地図情報を表示できるようにしたものであり、これにより同じ地図情報を極めて迅速に表示することができるものである。
【００９５】
別の地図情報システムの構成は、図１に示した地図情報システムの構成とほぼ同様であるため図示は省略するが、サーバ１に、セッション番号と、それに対応する地図情報とを対応付けるセッション管理テーブルと、作成した地図情報を記憶するデータベースを備えている。更に、サーバ１の処理部１０にセッション管理を行う手段を設けている。
【００９６】
ここで、別の地図情報システムにおけるサーバ１のセッション管理テーブルについて図８を用いて説明する。図８は、別の地図情報システムにおけるサーバのセッション管理テーブルを示す説明図である。
図８に示すように、セッション管理テーブルは、セッション番号と、それに対応する地図情報の番号（地図情報番号）及び当該セッション番号がセッション管理テーブルに登録された登録時刻とを記憶しているものである。セッション番号は、新たに地図情報を作成した場合に当該地図情報に対応して付与される番号である。
【００９７】
登録時刻は、各セッション番号が登録された時刻であり、登録時刻から一定時間（例えば１時間）の間はセッション番号を記憶しておき、期限が切れると、当該セッション番号をセッション管理テーブルから消去して、当該セッション番号を無効とするものである。
【００９８】
そして、サーバ１は、地図情報を作成すると地図情報に番号を付して地図情報データベースに記憶し、更に対応するセッション番号を付与してセッション管理テーブルにセッション番号と、地図情報番号と、登録時刻とを対応付けて記憶する。そして、クライアント２に地図情報を出力する際に、対応するセッション番号及び登録時刻（又は有効期限）を付して出力する。
【００９９】
そして、クライアント２に複数のユーザ端末２３が接続する場合、クライアント３は、サーバ１から出力された地図情報とセッション番号を受信すると、当該地図情報に対する地図情報表示要求を行ったユーザ端末２３の識別番号と対応付けて記憶すると共に、当該地図情報をユーザ端末２３に出力し、ユーザ端末２３から受信した地図情報に対する地図情報表示要求を受けると、当該地図情報表示要求に対応付けて記憶されるセッション番号を付してサーバ１に送信するようになっている。
【０１００】
具体的には、クライアント２では、サーバ１から地図情報を受信すると、クライアント２において地図情報を管理するための管理番号を付して、当該管理番号とセッション番号と登録時刻（又は有効期限）と要求元のユーザ端末２３の識別番号とを記憶しておき、受信した地図情報を要求元のユーザ端末２３に表示する。このとき、管理番号と登録時刻（又は有効期限）の情報をユーザ端末２３に出力しておく。
【０１０１】
更に、ユーザ端末２３において表示された地図情報に、利用者が独自に名前をつけられるようにしてもよい。この場合には、クライアント２が地図情報をユーザ端末２３に出力する際に、「名前を入力してください」等のメッセージと名前を入力するエリアを備えた画面又はウィンドウを表示し、利用者に名前の入力を促す。そして、名前が入力され、クライアント２が受信すると、クライアント２は、当該地図情報のセッション番号を記憶するテーブルに、管理番号や登録時刻と共に入力された名前を記憶しておく。例えば「Ａ地域４０代男性」等地図情報の特性を端的に表す名前を付けておくと、後で分かり易いものである。
【０１０２】
そして、ユーザ端末２３を操作する利用者が、当該地図情報の表示を一旦やめて別の地図情報の表示や顧客の検索等を行った後に、再び先ほどの地図情報を表示させたくなった場合には、登録時刻から一定時間以内であれば、利用者はユーザ端末２３からセッション番号を付して地図情報表示要求を出力する。
【０１０３】
具体的には、利用者が、ユーザ端末２３からクライアント２にアクセスして地図情報表示要求を送信すると、クライアント２が、「表示する地図情報の管理番号（又は名前）を入力してください」といったメッセージをユーザ端末２３に表示して、利用者が、ユーザ端末２３に記憶している管理番号又は名前を入力する。
又は、クライアント２が、クライアント２において当該ユーザ端末２３に対応して記憶している管理番号（又は名前）と登録時刻を、要求元のユーザ端末２３に表示して、その中からの選択を促すようにしてもよい。
【０１０４】
管理番号又は名前が入力され、クライアント２が受け取ると、クライアント２は、ユーザ端末２３から入力された番号又は名前に対応するセッション番号を読み取り、当該セッション番号を付して地図情報表示要求をサーバ１に送信する。
【０１０５】
そして、サーバ１がセッション番号の付された地図情報表示要求を受信すると、サーバ１は、セッション管理テーブルを参照して、対応する地図情報を読み出してクライアント２に出力する。
【０１０６】
これにより、クライアント２側にとっては、一定時間以内であれば、同じ地図情報を表示させるために何度も同じ操作を行わずに済み、迅速に所望の地図情報を表示させることができ、また、サーバ１側にとっても地図情報作成の処理を軽減することができるものである。更に、サービス提供者は、新規地図情報作成から一定時間内（セッション管理を行う間）は、何度表示させても定額料金にするといったサービスを行ってもよい。
【０１０７】
尚、別のシステムでは、処理部１０にセッション管理テーブルを監視する手段を備えており、当該手段が、セッション管理テーブルの登録時刻（又は有効期限）を監視して、期限切れになったセッション番号をセッション管理テーブルから削除すると共に、それに対応してデータベースに記憶されている地図情報を削除するようにしている。
これにより、作成した地図情報のうち、セッション番号が無効になったものは削除することができ、作成した地図情報を記憶する装置の記憶容量を有効に活用できるものである。
【０１０８】
次に、別の地図情報システムにおけるサーバ１のセッション管理の処理について図９を用いて説明する。図９は、別の地図情報システムにおけるサーバ１の処理を示すフローチャート図である。
図９に示すように、サーバ１の処理部１０は、クライアント２から地図情報表示要求を受信すると（４００）、暗証番号等で認証を行い（４０２）、認証ＯＫならば、セッション番号を受信したかどうかを判断する（４０４）。尚、処理４０２において、認証ＮＧならば予め設定された「認証できませんでした」といったメッセージを返信して、処理を終わる。
【０１０９】
セッション番号を受信して、且つセッション管理テーブルに当該セッション番号が記憶されている場合には（Ｙｅｓの場合）、サーバ１は、セッション管理テーブルを参照して、当該セッション番号に対応する地図情報番号を読み取り、データベースから当該地図情報番号の地図情報を読み出して（４１０）、クライアント２に出力する（４１２）。
【０１１０】
また、処理４０４でセッション番号を受信しなかった場合又はセッション番号がセッション管理テーブルに記憶されておらず無効の場合（Ｎｏの場合）には、サーバ１は、クライアント２からの指示に従って、図６又は図７に示した手順で地図情報を作成する（４２０）。
【０１１１】
地図情報を作成すると、サーバ１は、作成した地図情報に番号を付与して、データベースに記憶する（４２２）。更に、サーバ１は、セッション管理テーブルに、付与したセッション番号と地図情報番号とを対応付けて記憶し、登録時刻又は登録時刻に一定時間を加えた有効期限を記憶する。
【０１１２】
そして、サーバ１は、クライアント２に地図情報とセッション番号と登録時刻（有効期限）とを出力する（４２６）。このようにして、サーバ１におけるセッション管理が行われるものである。
【０１１３】
本発明の別の実施の形態に係る地図情報システムによれば、サーバ１が新たに地図情報を作成した場合に、セッション番号と地図情報と登録時刻とを対応付けて一定時間記憶しておくセッション管理テーブルを備え、クライアント２からセッション番号を付した地図情報表示要求を受信すると、セッション管理テーブルを参照して、当該セッション番号が記憶されていれば、受信したセッション番号に対応する地図情報を読み出して、要求元のクライアント２に地図情報を出力するようにしているので、クライアント２側の利用者は、一定時間内であれば、同じ地図情報を表示するのに何度も同じ入力操作を行わなくて済み、利用者の使い勝手を向上させることができ、また、サーバ１における地図情報作成の処理を軽減し、指定された地図情報を迅速に出力することができる効果がある。
【０１１４】
また、セッション管理の別の方法として、セッション管理テーブルにおいて、セッション番号を地図情報そのものに対応付けるのではなく、地図情報を作成するのに必要な各項目の指示（タスク）に対応付けて記憶するようにしてもよい。ここで、タスクとは、特定の地図情報を作成するのに必要な、顧客・地域・地図・統計データ（必要ならば属性データも）を指定するデータの組み合わせであり、地図情報を作成する際にクライアント２を介してユーザ端末２３から入力されているものである。
【０１１５】
そして、別のセッション管理を行う場合には、サーバ１は、初めにあるタスクで地図情報を作成する際に、クライアント２から送信されたタスクに識別番号を付して記憶しておく。そして、セッション管理テーブルにおいて、セッション番号とタスクの識別番号と、登録時刻（有効期限）とを対応付けて記憶しておく。
【０１１６】
そして、サーバ１が、クライアント２からセッション番号を付した地図情報表示要求を受信すると、セッション管理テーブルを参照して、当該セッション番号に対応するタスクの識別番号を読み取り、当該識別番号に対応して記憶されているタスクで指定される顧客、地域、地図、統計データ、属性データに従って再度地図情報を作成する。
【０１１７】
これにより、サーバ１に、作成した地図情報そのものを記憶しておくためのデータベースが不要となり、地図情報の記憶や検索に関する処理を軽減することができる効果がある。また、地図情報そのものを記憶しておく場合と同様に、クライアント２側の利用者は、何度も同じタスクを入力しなくてすみ、利用者の使い勝手を向上させることができる効果がある。
【０１１８】
また、上記別のシステムでは、ユーザ端末２３が地図情報表示要求をクライアント２に出力し、クライアント２がサーバ１に対してその地図情報表示要求を送信し、更にサーバ１で作成された地図情報を、クライアント２を介して対応するユーザ端末２３に出力し、クライアント２でセッション番号と対応のユーザ端末２３の識別子とを記憶するものとなってはいるが、クライアント２が特定名称に対応する地図情報表示要求を定期的にサーバ１に送信し、受信したセッション番号を当該特定名称と対応付けて記憶しておき、ユーザ端末２３から当該特定名称の指定があると、その指定があったユーザ端末２３の識別子を記憶し、更に記憶するセッション番号を再度サーバ１に送信して、サーバ１からの地図情報を対応するユーザ端末２３に表示出力するようにしてもよい。
【０１１９】
クライアント２は、地図情報表示要求に対応する名称、サーバ１から送信されたセッション番号、名称を指定したユーザ端末２３の識別子を記憶部（図１に図示せず）に記憶するようになっている。
また、クライアント２の地図情報表示プログラムは、特定条件で地図を表示させるための地図情報表示要求を定期的にサーバ１に送信し、サーバ１から受信したセッション番号を記憶部に記憶させ、ユーザ端末２３から名称が指定されると、そのユーザ端末２３の識別子を記憶部に対応付けて記憶させ、セッション番号をサーバ１に送信し、サーバ１から受信した地図情報をセッション番号に対応するユーザ端末２３に表示出力する。
【０１２０】
また、クライアント２は、例えば、店舗Ａに関する地図、店舗Ｂに関する地図といった店舗毎の地図情報表示要求とその名称（例えば、「店舗Ａの地図」といった名称）を対応付けてテーブル等で記憶しておき、更にそれら地図情報にアクセス可能なユーザ端末２３もテーブル等で記憶しておく。
【０１２１】
そして、あるユーザ端末２３から「店舗Ａの地図」の指定があると、テーブル等を参照して当該地図情報にアクセス可能なユーザ端末２３であるのかを判断し、アクセス可能なユーザ端末２３であれば、対応する地図情報表示要求をテーブルから読み出してサーバ１に送信し、その地図情報表示要求に対応した地図情報を指定のあったユーザ端末２３に表示出力することもできる。
【０１２２】
この場合、別のユーザ端末２３から「店舗Ａの地図」の指定があっても、当該別のユーザ端末２３がアクセス可能な端末であれば許可するが、アクセス可能な端末でなければ、地図情報の表示処理は行わない。
また、そのテーブル等で、店舗Ａの地図と店舗Ｂの地図との関連性を記憶しておき、あるユーザ端末２３が店舗Ａの地図情報にアクセス可能であれば、店舗Ｂの地図情報にアクセス可能とすることもできる。
【０１２３】
更に、上記クライアント２の構成において、セッション番号の管理を行い、クライアント２が自発的に店舗Ａの地図情報表示要求、店舗Ｂの地図情報表示要求をサーバ１に送信しておき、テーブル等に地図情報表示要求とその名称、アクセス可能なユーザ端末及び返信された地図情報のセッション番号を記憶しておき、アクセス可能なユーザ端末２３から特定の地図情報表示要求があると、クライアント２は対応するセッション番号をサーバ１に送信して、サーバ１で保持する地図情報を受信し、対応するユーザ端末２３に表示出力するようにしてもよい。
【０１２４】
また、本システム又は別のシステムにおいて、クライアント２における顧客管理ＤＢ２２では、図４に示すように、顧客管理データとして「属性データ」を記憶するようになっているが、顧客の性別、生年月日等の静的なデータは図４のテーブル形式（第１の記憶部）で保持するようにし、その顧客の特定日における購入商品、購入額等の動的なデータ（履歴）は日時に対応付けて別の記憶部（顧客購入履歴記憶部：第２の記憶部）に長期間記憶させるようにすると、顧客の購入分析等に役立てることが可能となる。
【０１２５】
例えば、上記顧客購入履歴記憶部から、今週のある顧客の購入状況、先週のその顧客の購入状況、先々週のその顧客の購入状況、若しくは、本年度のある顧客の購入状況、昨年度のその顧客の購入状況、一昨年のその顧客の購入状況等を反映させた地図情報が表示可能となる。
【０１２６】
この場合、クライアント２に顧客購入履歴記憶部を備えるようにしているので、サーバ１で行わせていた集計処理をクライアント２の処理部２０に行わせる。
つまり、クライアント２の処理部２０にユーザ端末２３から顧客の購入に関する条件が設定入力されると、その条件に適合する顧客を顧客購入履歴記憶部から検索し、該当する顧客を抽出する。
そして、処理部２０は、抽出された顧客に対応する位置データ及び地図情報表示要求をサーバ１に送信し、サーバ１で作成された地図情報を受信すると、対応するユーザ端末２３に表示出力する。
【０１２７】
尚、本システム及び別のシステムにおいて、クライアント２にネットワークを介してユーザ端末２３を接続するようにしているが、クライアント２にユーザ端末２３が接続されていない状態であってもよい。この場合、クライアント２では処理部２０に情報を入力するための入力部と、地図情報を表示するための表示部とを備え、ユーザ端末２３から行われていた指示等を当該入力部から行うようにし、それら指示等に従って地図情報表示プログラム２１を動作させ、サーバ１で作成された地図情報を表示部に表示するものとなる。
【０１２８】
【発明の効果】
本発明によれば、サーバが、地図データを記憶する地図データベースと、統計データを記憶する統計データベースとを備え、クライアントから送信された住所を地図上に表示可能な位置データに変換して当該クライアントに返信する第１の処理と、任意のクライアントから送信された位置データと、当該クライアントによって選択された地図データ及び統計データとを合成して、選択された地図上に統計データと位置データとを重ねて表示する地図情報を作成し、クライアントに作成された地図情報を出力する第２の処理とを行うサーバである地図情報システムとしており、第１の処理によって変換された位置データをクライアントが記憶しておき、地図情報を表示したい場合にクライアントが位置データを読み出してサーバに送信すれば、第２の処理によって選択した地域の地図上に、統計データと送信した位置データとが重なった地図情報が作成されてクライアントにおいて表示することができ、サーバが各クライアント毎に膨大な量の位置データを記憶する必要がなくなり、システム構築及び地図情報作成の処理を簡易にすることができる効果があると共に、クライアントが管理する住所のデータをサーバに記憶しなくて済むためクライアント側のデータの安全性を向上させることができる効果がある。
【０１２９】
また、本発明によれば、上記地図情報システムにおいて、位置データが、行政コードと緯度・経度データのいずれか又は両方を備えているものであり、位置データを地図上に直ちに反映させることができ、地図情報を迅速に表示させることができる効果がある。
【０１３０】
また、本発明によれば、上記地図情報システムにおいて、地図データベースが、メッシュ地図データと、町丁目地図データと、郵便番号地図データのいずれか又は全てを含んでいる地図データベースである地図情報システムとしているので、所望の地域の地図の中から、利用者の用途、目的、好みに合わせて地図の形態を選択することができ、利用者のニーズに細かく対応した地図情報を作成することができる効果がある。
【０１３１】
また、本発明によれば、上記地図情報システムにおいて、統計データベースが、国勢調査のデータと、商業統計のデータとを備えたり、地図データベースが、行政界の変更履歴を記憶しており、統計データベースが、国勢調査のデータを調査年度毎に記憶している地図情報システムとしているので、利用者のニーズに応じて統計データを選択可能とし、昔の統計データや行政界を用いた地図情報を作成することができ、過去から現在に至るまでの変遷を表した地図情報等の多様な地図情報を作成することができる効果がある。
【０１３２】
また、本発明によれば、上記地図情報システムにおいて、第１の処理で、サーバが、クライアントが顧客の識別番号に対応して記憶している住所を位置データに変換し、変換された位置データが、クライアントにおいて識別番号に対応して記憶される地図情報システムとしているので、第１の処理において、顧客の個人情報である住所のデータや、住所を容易に特定できる位置データをサーバに渡さずに済み、顧客の個人情報の安全性を向上させることができ、また、顧客の住所を反映させた地図情報を表示させて、セールス情報の分析や販売促進戦略等に活用することができる効果がある。
【０１３３】
また、本発明によれば、上記地図情報システムにおいて、第２の処理で、サーバが、クライアントにおいて顧客情報に基づいて選択された顧客に対応する位置データに基づいて地図情報を作成する地図情報システムとしているので、クライアント側で目的に応じて抽出された顧客の位置を、所望の地域の地図上で統計データと重ね合わせて表す地図情報を表示させることができ、利用者の所望の主題に合わせた地図情報を作成することができる効果がある。
【０１３４】
また、本発明によれば、上記地図情報システムにおいて、サーバが、クライアントから定期的に送信される位置データ変換要求を受信すると、当該位置データ変換要求に含まれる住所について第１の処理を行う地図情報システムとしているので、位置データ変換要求に新しく登録された顧客の住所が含まれるようにすれば、利用者が特に操作を行わなくても、サーバが定期的に第１の処理を行って、新しく登録された顧客に対応する位置データをクライアントに記憶させておくことができ、地図情報の作成に利用することができる効果がある。
【０１３５】
また、本発明によれば、上記地図情報システムにおいて、サーバが、クライアントから随時送信される地図情報表示要求を受信すると第２の処理を行う地図情報システムとしているので、サーバが、利用者の要求に応じて随時所望の地図情報を作成してタイムリーに表示させることができる効果がある。
【０１３６】
また、本発明によれば、上記地図情報システムにおいて、サーバが、第２の処理において、選択された顧客の識別番号に対応する位置データと共に、顧客の購入情報を含む属性データと、属性データを絞り込む条件とを受信して、条件に従って属性データに含まれる購入情報を集計して、条件を満たす識別番号に対応する位置データ又は／及び統計データを用いて地図情報を作成する地図情報システムとしているので、クライアントで複雑な集計処理を行わなくても、処理能力の高いサーバで属性データを集計して所望の条件に合う顧客を抽出することができ、目的に応じてターゲットとなる顧客を絞り込んだ地図情報を迅速に表示することができる効果がある。
【０１３７】
また、本発明によれば、上記地図情報システムにおいて、サーバが、地図情報を作成すると、クライアントにセッション番号を付して地図情報を出力すると共に、地図情報とセッション番号とを対応付けて記憶しておき、任意のクライアントからセッション番号を付した地図情報表示要求を受信した場合に、当該セッション番号の付与から一定時間以内であればセッション番号に対応する地図情報をクライアントに出力する地図情報システムとしているので、クライアント側の利用者は、一定時間内であれば同一の地図情報を表示させるための指示を何度も入力することなく、一旦作成された地図情報を何度でも迅速に表示させることができ、また、サーバ側にとっては地図情報作成の処理を軽減することができる。
【０１３８】
また、本発明によれば、上記地図情報システムにおいて、サーバが、セッション番号の付与から一定時間が経過した場合に、セッション番号に対応して記憶されている地図情報を消去する地図情報システムとしているので、地図情報の保存を一定時間のみとして、記憶装置の記憶エリアを有効に利用することができる。
【０１３９】
本発明によれば、ネットワークを介して接続されるクライアントを備え、当該クライアントは、顧客の識別番号と位置データとを対応付けて記憶する第１の記憶部と、顧客の識別番号と顧客の購入情報を含む属性データとを対応付けて記憶する第２の記憶部と備え、顧客の購入情報を含む属性データを絞り込む条件に従って第２の記憶部から該当する顧客の識別番号に対応する位置データを選択し、当該位置データをサーバに送信する上記地図情報システムとしているので、顧客の購入情報の属性データを充分に分析した上で、地図情報の表示を行わせることができる効果がある。
【０１４０】
本発明によれば、クライアントに複数の端末が接続する場合、クライアントが、地図情報表示要求を行った端末の情報と対応付けて記憶し、更にサーバから出力された地図情報とセッション番号を受信すると、当該地図情報に対する地図情報表示要求を行った端末の情報と対応付けて記憶すると共に、当該地図情報を当該端末に出力し、当該端末から地図情報に対する地図情報表示要求を受けると、当該地図情報表示要求に対応付けて記憶されるセッション番号を付してサーバに送信する上記地図情報表示システムとしているので、クライアントに複数の端末が接続されていても、サーバから出力された地図情報を対応する端末に誤りなく表示させることができる効果がある。
【０１４１】
本発明によれば、クライアントが、特定の地図情報表示要求、地図の名称及びアクセス可能な端末を対応付けて記憶する対応テーブルを備え、端末から地図の名称の指定があると、対応テーブルを参照して当該端末が地図の名称に対応する地図情報にアクセス可能であるか否かを判断し、アクセス可能であれば対応する地図情報表示要求を対応テーブルから読み出してサーバに送信し、サーバから出力された当該地図情報表示要求に対応した地図情報を指定のあった端末に表示出力する上記地図情報システムとしているので、アクセス可能な端末が地図の名称で地図情報の表示を容易に行うことができる効果がある。
【０１４２】
本発明によれば、クライアントが、地図の名称で特定される地図情報表示要求をサーバに定期的に送信し、サーバから出力された当該地図情報表示要求に対応した地図情報とセッション番号を受信すると、セッション番号と地図の名称とを対応付けて記憶する記憶部を備え、端末から地図の名称の指定があると、記憶部に地図の名称に対応付けて端末の識別子を記憶させ、地図の名称に対応するセッション番号をサーバに送信し、サーバから受信した地図情報をセッション番号に対応する端末に表示出力する上記地図情報システムとしているので、端末が地図の名称で地図情報の表示を容易に行うことができる効果がある。
【図面の簡単な説明】
【図１】本発明の実施の形態に係る地図情報システムの概略システム構成図である。
【図２】サーバ１に設けられた地図ＤＢ１５の模式説明図である。
【図３】サーバ１に設けられた統計ＤＢ１６の模式説明図である。
【図４】顧客管理データベース２２の模式説明図である。
【図５】第１のステップにおける手順を示した説明図である。
【図６】第２のステップにおける手順を示す説明図である。
【図７】サーバ１で属性データの集計を行う場合の処理手順を示す説明図である。
【図８】別の地図情報システムにおけるサーバのセッション管理テーブルを示す説明図である。
【図９】別の地図情報システムにおけるサーバの処理を示すフローチャート図である。
【符号の説明】
１…サーバ、  ２…クライアント、  １０…処理部、  １１…ジオコーダ、  １２…地図情報作成手段、  １３…地図色塗り手段、  １４…データ集計手段、１５…地図データベース、  １６…統計データベース、  ２０…処理部、  ２１…地図情報表示プログラム、  ２２…顧客管理データベース、  ２３…ユーザ端末
【図１】
2005017465.tif 000003
【図２】
2005017465.tif 000004
【図３】
2005017465.tif 000005
【図４】
2005017465.tif 000006
【図５】
2005017465.tif 000007
【図６】
2005017465.tif 000008
【図７】
2005017465.tif 000009
【図８】
2005017465.tif 000010
【図９】
2005017465.tif 000011